(57)【特許請求の範囲】
【請求項１】
撮像空間内の１以上の被写体を照明手段で照明し撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売方法であって、
前記編集手段のディスプレイに右用の右編集画像と左用の左編集画像とを表示すると共に、編集画像を選択するためのサムネイル画像を共通に表示し、
右用の入力手段で前記サムネイル画像がタッチされれば右編集画像に表示する編集画像を変更し、
左用の入力手段で前記サムネイル画像がタッチされれば左編集画像に表示する編集画像を変更する
写真シール自動販売方法。
【請求項２】
前記サムネイル画像を、前記左編集画像と右編集画像との間に縦列に表示する
請求項１記載の写真シール自動販売方法。
【請求項３】
撮像空間内の１以上の被写体を照明手段で照明し撮像手段で撮像して撮像画像を作成する撮像処理を許容し、
編集対象の画像に対して編集手段で編集して編集画像を作成する編集処理を許容し、
所定の画像を出力画像として出力手段で出力する写真シール自動販売装置であって、
前記編集手段のディスプレイに右用の右編集画像と左用の左編集画像とを表示すると共に、編集画像を選択するためのサムネイル画像を共通に表示する構成とし、
右用の入力手段で前記サムネイル画像がタッチされれば右編集画像に表示する編集画像を変更し、
左用の入力手段で前記サムネイル画像がタッチされれば左編集画像に表示する編集画像を変更する構成とした
写真シール自動販売装置。
【請求項４】
前記サムネイル画像を、前記左編集画像と右編集画像との間に縦列に表示する構成とした
請求項３記載の写真シール自動販売装置。
【発明の詳細な説明】
【技術分野】
【０００１】
この発明は、例えばゲームセンターや遊園地、テーマパーク、旅館、観光施設等の施設に設置され、被写体を撮像してその撮像画像を編集し、その編集した編集画像及び前記撮像画像から所定の画像を印刷した写真シールを販売するような、写真シール自動販売方法及びその装置に関する。
【背景技術】
【０００２】
従来、デジタルカメラ等の撮像手段で被写体を撮像し、その撮像画像をタッチパネル等の編集手段で編集させ、その編集画像及び前記撮像画像から所定の画像を印刷手段で印刷した写真シールを販売する写真シール自動販売装置が提案されている。
【０００３】
前記写真シール自動販売装置は、撮像空間の正面奥に備えた筐体の正面に前記撮像手段、前記編集手段及び印刷手段を構成しており、利用者に対して撮像・編集・印刷の順で一連の処理による販売を実行した後に次の利用者に対する販売を行う。
【０００４】
このような写真シール自動販売機は大変人気が高く、特に新機種の設置時や休日等には利用者の行列ができることが頻繁であり、施設の経営者にとっては大変収益性の高い有力商品となっている。
【０００５】
前記写真シール自動販売装置に対して、利用者は待ち時間は無い方がいいが撮像時間・編集時間は長くしてほしいという相反する要求を持っており、経営者はできることなら１販売時間を短縮して回転率を向上したいという希望をもっている。
【０００６】
しかし、対策としては撮像時間と編集時間の配分を調整して利用者の納得できる最低限の時間に設定し、印刷時間を短くする程度の提案しかできず、利用者と経営者の希望に対して妥協できる程度の解決策を捻出するのがやっとであった。
【０００７】
【特許文献１】特許３１９６８９７号公報
【特許文献２】特開２００２−２５２８２２号公報
【特許文献３】特開２００３−４７０００号公報
【発明の開示】
【発明が解決しようとする課題】
【０００８】
この発明は、利用者に十分な編集時間を与える写真シール自動販売方法及びその装置を提案することを目的とする。
【課題を解決するための手段】
【０００９】
この発明は、撮像空間内の１以上の被写体を照明手段で照明し撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法又はその装置であって、前記編集手段のディスプレイに右用の右編集画像と左用の左編集画像とを表示すると共に、編集画像を選択するためのサムネイル画像を共通に表示し、右用の入力手段で前記サムネイル画像がタッチされれば右編集画像に表示する編集画像を変更し、左用の入力手段で前記サムネイル画像がタッチされれば左編集画像に表示する編集画像を変更する写真シール自動販売方法又はその装置であることを特徴とする。
【００１０】
前記撮像空間は、カーテン等の部材で囲繞された空間、又は前記撮像手段に撮像され得る開放された空間であることを含む。  
前記編集手段は、タッチペンとタッチパネルで構成する編集手段であることを含む。  
前記入力手段は、タッチペンであることを含む。
【００１１】
前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像を含む。
【００１２】
前記所定の画像は、前記撮像画像、前記デジタル画像、前記スキャニング画像、及び／又はこれらの画像を編集手段で編集した編集画像であることを含む。  
前記出力手段は、画像を印刷する印刷手段、画像データを送信する通信手段、又は画像データを記憶媒体に書き込む記憶媒体リーダ／ライタであることを含む。
【００１３】
前記構成により、２人の利用者が２つの入力手段でそれぞれの編集画像を編集することができる。  
また、右用と左用に共通に表示されたサムネイル画像を、例えば右用の入力手段でタッチして右編集画像に表示する編集画像を変更することができる。
【００１４】
また、複数の入力手段で編集操作を実行させるため、多人数のグループ利用者であっても、１つの入力手段を交換で使用する場合と異なり、互いに気を使うことなく十分時間をかけて編集操作ができ、編集操作時に入力手段を取り合う必要がなくなる。
【００１５】
好ましい実施の形態として、前記サムネイル画像を、前記左編集画像と右編集画像との間に縦列に表示することができる。  
これにより、右用と左用の共通にサムネイル画像を表示することができる。
【発明の効果】
【００１６】
この発明により、２人の利用者が２つの入力手段でそれぞれの編集画像を編集することができる。  
また、右用と左用に共通に表示されたサムネイル画像を、例えば右用の入力手段でタッチして右編集画像に表示する編集画像を変更することができる。
【００１７】
また、編集入力可能な入力手段を複数設けることで、撮像画像に対する編集操作を多人数で同時に行うことが可能となる。これにより、利用者が複数人のグループである場合に各人に対する編集時間が増加し、娯楽性が向上する。
【発明を実施するための最良の形態】
【００１８】
この発明の一実施形態を以下図面と共に説明する。  
まず、写真シール自動販売機１の外観について、図１に示す正面側から見た斜視図、図２に示す背面側から見た斜視図、及び図３に示す部分拡大図（一部断面図）と共に説明する。
【００１９】
写真シール自動販売機１は、ボックス状の枠９の上辺から吊るしたカーテン８で囲繞し、中央より背面側に筐体２を設置している。なお、この図１では天井板の一部と正面のカーテン８の一部、及び左側面のカーテン８を省略しており、図２では、天井板の一部と左側面のカーテン８の一部、及び枠９の一部を省略している。
【００２０】
前記筐体２の前方には、普通人が２，３人横に並んだ状態でポーズをとって撮像できる程度の幅の撮像空間３が設けられ、前記筐体２の背面には普通人が２，３人横に並んで落書き編集できる程度の幅の編集空間４が設けられている。
【００２１】
前記筐体２の正面は、中央に丸型のＯＫボタン１３１、ＮＧボタン１３２と、上向き三角及び下向き三角の２つのボタンからなる選択ボタン１３３で構成する正面入力装置１３ａ（後述）を設ける。
【００２２】
前記正面入力装置１３ａの上には動画像や静止画像、文字画像等の画像を表示する正面ディスプレイ１８ａを設け、その上には被写体を撮像するデジタルカメラ１７を設ける。
【００２３】
前記デジタルカメラ１７を挟むようにして、筐体２の上部左右には被写体を照明する蛍光灯照明装置１６，１６を配設し、前記正面入力装置１３ａの左下には硬貨（又は紙幣）を投入する貨幣投入口１５ａを設ける。
【００２４】
筐体２の背面には、図２に示すように、被写体を撮像した静止画像、文字画像、落書き用ペン画像等の画像を表示する２つの背面ディスプレイ１８ｂ，１８ｃを普通人がタッチし得る程度の高さに並設する。
【００２５】
前記背面ディスプレイ１８ｂ，１８ｃにはタッチペンでタッチされた座標を検知するタッチパネル１４１，１４３を重ねて設け、その下にそれぞれのタッチペン１４２，１４４を配設して、背面入力装置１４ｂ，１４ｃを構成する。  
筐体２の左側面下部には、写真シールシート５ｃを排出する排出口１９ａを設け、筐体２の内部右側には、各装置を制御するパソコン１０（図１）を設ける。
【００２６】
筐体２の内部左側には、図３の部分拡大図（一部断面図）に示すように、前記排出口１９ａの近傍にプリンタ１９を備える。  
該プリンタ１９には、シール紙ユニット５をセットしており、該シール紙ユニット５はロール状に巻いたシール紙５ａと正規品か否かを識別させる識別データ等のデータを記憶させたＩＤタグ５ｂで構成する。
【００２７】
前記プリンタ１９の背部にはＩＤタグリーダ／ライタ２０を備え付けており、前記ＩＤタグ５ｂに記憶の前記データを読取る。  
なお、前記ＩＤタグ５ｂとシール紙５ａは一体に形成し分離不可にしているが、別体に形成し例えばシール紙５ａはプリンタ１９に、ＩＤタグ５ｂはＩＤタグリーダ／ライタ２０にそれぞれセットするように構成しても良い。
【００２８】
以上の構成により、利用者は撮像空間３内で正面入力装置１３ａを操作してデジタルカメラ１７で撮像を行い、編集空間４内でタッチペン１４２，１４４を使用してタッチパネル１４１，１４３にタッチして撮像画像に落書き編集を行う。これにより、従来利用されていなかった筐体２の背面を有効利用する。
【００２９】
次に、写真シール自動販売機１の構造と各装置の機能について、図４に示す回路ブロック図と共に説明する。  
制御装置１１は、前述のパソコン１０の内部に設けられ、各装置の制御処理を実行する。
【００３０】
正面入力装置１３ａは、前述したようにＯＫボタン１３１、ＮＧボタン１３２、選択ボタン１３３で構成されており、各ボタンを押下された信号を入力信号として制御装置１１に送信する。
【００３１】
貨幣処理装置１５は、前記貨幣投入口１５ａの内部に設けられ、硬貨（又は紙幣）の投入を受けて真偽判別、金種判別を実行し、投入金額を処理信号として制御装置１１に送信する。前記真偽判別、金種判別で正規でないと判断された硬貨（又は紙幣）はそのまま排出される。なお、この硬貨投入によりプレイ開始となる。
【００３２】
蛍光灯照明装置１６は、内蔵する蛍光灯を発光させて照明する照明装置であり、制御装置１１の照明制御信号を受けて発光のＯＮ／ＯＦＦを実行する。  
デジタルカメラ１７は、制御装置１１からのシャッタ信号を受けて被写体の撮像を実行し、撮像した撮像画像を画像データとして制御装置１１に送信する。なお、被写体がポーズを取っている間は被写体を動画撮影し、その動画像を画像データとして制御装置１１に送信する。
【００３３】
正面ディスプレイ１８ａは、制御装置１１からのＲＧＢ信号に従って、前記動画像及び撮像画像、文字画像等の画像を表示する。  
背面入力装置１４（１４ｂ，１４ｃ）は、前述したようにタッチパネル１４１，１４３及びタッチペン１４２，１４４で構成され、該タッチペン１４２，１４４でタッチされた座標を入力信号として制御装置１１に送信する。これにより、利用者が前記タッチペン１４２，１４４で落書き編集することを可能にしている。
【００３４】
この２つの背面入力装置１４は、同一の撮像画像を表示して１つの撮像画像に対して２人が同時に落書き編集することを可能にしている。  
また、各背面入力装置１４で落書き編集する撮像画像は、それぞれ単独で選択することも可能にしており、別々の撮像画像に対して同時に落書き編集することを可能にしている。
【００３５】
背面ディスプレイ１８ｂ，１８ｃは、制御装置１１からのＲＧＢ信号に従って、撮像画像、文字画像、落書き編集用のペン画像などの画像を表示する。これにより、利用者が落書き編集している画像を確認しつつ落書き編集を行うことを可能にしている。
【００３６】
この背面ディスプレイ１８ｂ，１８ｃは、対応する背面入力装置１４ｂ，１４ｃの入力に従って、表示する落書き編集画像等の画像をそれぞれ単独に変更することを可能にしている。
【００３７】
また、前述した背面入力装置１４ｂでの落書き編集は、他方の背面ディスプレイ１８ｃにも反映され、逆に背面入力装置１４ｃの落書き編集は、背面ディスプレイ１８ｂに反映される。これにより、一方の背面入力装置１４で落書き編集している利用者は、他方の背面入力装置１４で行われている落書き編集の内容も含めて背面ディスプレイ１８ｂ，１８ｃでリアルタイムに確認することができる。
【００３８】
プリンタ１９は、前述の排出口１９ａの内部に設けられ、撮像画像及び落書き編集された編集画像から所定の画像をシール紙５ａに印刷し、該写真シールシート５ｃ（図３）を前記排出口１９ａから排出する。
【００３９】
ＩＤタグリーダ／ライタ２０は、シール紙ユニット５に備えたＩＤタグ５ｂに記憶されているデータを読出信号で読取り、更新信号で前記データの更新を実行する。これによって、制御装置１１はシール紙ユニット５が正規のものであるか否かを判定し、必要に応じて印刷回数であるカウント数を上書きする等の更新処理を実行する。
【００４０】
以上の構造により、撮像空間３内で被写体によって正面入力装置１３ａが操作され、正面ディスプレイ１８ａでポーズを確認させてデジタルカメラ１７で撮像を実行し、編集空間４内で背面ディスプレイ１８ｂ，１８ｃに表示した撮像画像に対して、背面入力装置１４で落書き編集をさせ、該落書き画像及び該落書き画像の元となった撮像画像以外の落書きされていない撮像画像を印刷した写真シールシート５ｃを排出する。
【００４１】
なお、制御装置１１は複数の処理を平行して実行するマルチタスク機能を有しており、前記撮像空間３内の撮像処理と編集空間４内の編集処理、及び印刷処理を平行して実行することを可能にしている。これにより、筐体２の正面側に構成された正面入力装置１３ａ、蛍光灯照明装置１６、デジタルカメラ１７及び正面ディスプレイ１８ａで撮像処理を単独に完結することができ、筐体２の背面側に備えた背面入力装置１４及び背面ディスプレイ１８ｂ，１８ｃで編集処理を単独に完結することができる。
【００４２】
次に、写真シール自動販売機１の動作について、図５に示す処理フロー図と共に説明する。  
利用者によって貨幣投入口１５ａに所定金額の硬貨が投入されると、貨幣処理装置１５から処理信号が送信されて撮像処理Ａを開始する（ステップｎ１）。
【００４３】
制御装置１１は、正面ディスプレイ１８ａにＲＧＢ信号を送信して印刷するときのレイアウト（写真分割数）を選択させる画面を表示し、利用者に正面入力装置１３ａで選択させる（ステップｎ２）。
【００４４】
利用者が選択ボタン１３３でレイアウトを選択してＯＫボタン１３１を押下すると、制御装置１１は、デジタルカメラ１７で撮影している画像を正面ディスプレイ１８ａに動画表示させて、利用者に撮像ポーズを確認させる（ステップｎ３）。
【００４５】
所定時間が経過するか、利用者がＯＫボタンを押下すると、制御装置は正面ディスプレイ１８ａにカウントダウン表示をさせ（ステップｎ４）、該カウントダウンのタイミングに合わせてデジタルカメラ１７で撮像を実行する（ステップｎ５）。
【００４６】
制御装置１１は、正面ディスプレイ１８ａに撮像した撮像画像を表示し、よければＯＫボタン、撮りなおすならＮＧボタンを利用者に押下させて、撮像画像の確認・決定をさせる（ステップｎ６）。
【００４７】
撮像画像が所定枚数になるまでステップｎ３に戻って撮像を繰り返し（ステップｎ７）、所定枚数になれば正面ディスプレイ１８ａに「背面へ移動して落書きしてください」と表示して利用者を編集空間４に移動させる（ステップｎ８）。
【００４８】
ここから編集処理Ｂに入り、制御装置１１は、背面ディスプレイ１８ｂ，１８ｃに撮像画像と落書き終了ボタンを表示し（ステップｎ９）、落書き用のペンツールなども表示して利用者にタッチペン１４２，１４４で落書き編集をさせる（ステップｎ１０）。
【００４９】
利用者に前記落書き終了ボタンをタッチされるか（ステップｎ１１）、所定時間経過して残り時間がなくなると（ステップｎ１２）、制御装置１１は、正面ディスプレイ１８ａに「側面から写真シールが排出されます。」と表示して利用者を筐体２の左側面に移動させる（ステップｎ１３）。
【００５０】
ここから印刷処理Ｃに入り、制御装置１１は、落書き編集された落書き画像と、その元となった撮像画像以外の撮像画像（例えば２枚分の撮像を行って、１枚の撮像画像にのみ落書き編集を行った場合は、その編集画像１枚と他方の撮像画像１枚）をステップｎ２で選択されたレイアウトに配置し、プリンタ１９にプリント画像データとして送信して印刷を実行させる（ステップｎ１４）。  
プリンタ１９は、印刷が終了した写真シールシート５ｃを排出口１９ａから排出し（ステップｎ１５）、処理を終了する。
【００５１】
以上の動作により、写真シール自動販売機１は、撮像空間３で撮像処理Ａを実行し、利用者を背面へ移動させて編集空間４で編集処理Ｂを実行し、利用者を側面へ移動させて印刷処理Ｃを実行することで、１番目の利用者が編集処理Ｂに入ると２番目の利用者が撮像処理Ａを開始でき、前記１番目の利用者が印刷処理Ｃに入って前記２番目の利用者が編集処理Ｂに入ると３番目の利用者が撮像処理Ａを開始できるようになる。これにより、利用者を３つの空間に移動させてそれぞれの処理を平行して実行することができ、単位時間内の販売回転数が向上する。
【００５２】
次に、前記撮像処理Ａ、編集処理Ｂ、印刷処理Ｃの時間配分と利用者の入替わり時間の関係について、図６に示す時間説明図と共に説明する。  
従来の写真シール自動販売機では、図中の（Ａ）に示すように撮像処理Ａに１４０秒、編集処理Ｂに９０秒、印刷処理Ｃに１０秒を割り当てており、グループＰ（利用者）が撮像処理Ａ及び編集処理Ｂを行った後にグループＱに交代していた。
【００５３】
写真シールシート５ｃを筐体側面から排出することで印刷処理Ｃに要する１０秒は削減していたが、撮像処理Ａ及び編集処理Ｂを終了して初めて次のグループＱに交代するため、グループＰが撮像処理Ａを開始してから次のグループＱが撮像処理Ａを開始するまでの入れ替わり時間は、２３０秒となっていた。
【００５４】
本発明は、図中の（Ｂ）に示すように、撮像処理Ａに１８０秒、編集処理Ｂに１８０秒、印刷処理Ｃに１０秒を割り当てており、グループＰ撮像処理Ａを終了すれば、グループＱが撮像処理Ａを開始することができ、グループＰが編集処理Ｂを完了すれば、グループＱが編集処理Ｂを開始することができる。
【００５５】
これにより、撮像処理Ａの処理時間を１４０秒から１８０秒に３０％弱延長し、編集処理Ｂの処理時間を９０秒から１８０秒に延長して２倍にした上で、グループＰが撮像処理Ａを開始してから次のグループＱが撮像処理Ａを開始するまでの入れ替わり時間を２３０秒から１８０秒に２０％強短縮できた。
【００５６】
また、編集処理Ｂを実行する背面入力装置１４を２つ備えているため、例えば２人グループの利用者であれば、従来は１つの入力装置を使用して交代で編集処理Ｂを行い、編集時間１８０秒の半分である９０秒が１人の割り当てとなっていたが、２つの背面入力装置１４で各人が編集時間１８０秒を全て利用することができ、利用者が感じる編集時間も２倍になった。
【００５７】
これにより、利用者は十分時間をかけて落書き編集ができ、図７に示す写真シールシートのイメージ図のように、満足いくまで十分落書き編集した完成度の高い写真シールシート５ｃを取得することができることとなった。
【００５８】
次に、撮像空間３及び編集空間４の構成例について、写真シール自動販売機１の平面図である図８，図９に示す空間説明図と共に説明する。  
図８の（Ｈ）は、前述してきた写真シール自動販売機１の平面図を表しており、壁Ｗに写真シール自動販売機１の背面（つまり、編集空間Ｂの背後面）が密着するように設置されている。例えば利用者が２人であったとすると、該利用者は撮像空間３でデジタルカメラ１７に対向して２人横に並んで撮像処理Ａを行い、右側から筐体２を回り込んで編集空間４でも同様に２人横に並んで編集処理Ｂを行った後、筐体２の左側面から写真シールシート５ｃ（図示省略）を得ることができる。
【００５９】
すなわち、撮像空間３の横幅と編集空間４の横幅を略同一にし、撮像時と編集時の利用者の向きを同方向（対向方向含む）にすることで、利用者は撮像時と同様の並び方で編集時に並ぶことができ、空間を効率的に利用することができる。
【００６０】
また、２つの背面ディスプレイ１８ｂ，１８ｃとそれに伴う２つの背面入力装置１４ｂ，１４ｃにより、利用者が複数人いてもタッチペン１４２，１４４を取り合わずにそれぞれが落書き編集を行うことができる。
【００６１】
さらに、利用者の移動する流れを図中の矢印に示すように左回りとすることで、迅速に移動を促すことができ、利用者がすれ違う必要がないため最小のスペースで写真シール自動販売機１の横通路及び編集空間４を構成することができる。
【００６２】
仮に、他の実施形態として図８の（Ｉ）に示すように背面ディスプレイ１８ｂ，１８ｃを筐体２の右側面に並設し、その右側に編集空間４を設けた場合であれば、筐体２が不必要に大きくなって無駄なスペースＳが発生する上、利用者の編集空間４への出入り口が同一になるためすれ違えるだけの横幅を設ける必要が発生して、編集空間４を広くする必要がある。  
したがって、販売回転率を向上する上では有効であるが、空間（スペース）の使い方としてはベストと言い難い。
【００６３】
他の実施形態としては、図９の（Ｊ）に示すように、筐体２を分割して撮像空間３の奥にデジタルカメラ１７を備えた筐体２を設け、手前に設けた編集空間４の手前側に背面ディスプレイ１８ｂ，１８ｃを備えた筐体２’を設けてもよい。前記撮像空間３と編集空間４をカーテン８で仕切れば、前述の（Ｈ）と同様の効果が得られる。
【００６４】
また、他の実施形態として、図９の（Ｋ）に示すように撮像空間３の手前側に背面ディスプレイ１８ｂ，１８ｃを備えた筐体２’を設けてもよい。この場合、撮像空間４は枠９（図示省略）で囲繞せず、編集空間４と通路を兼ねるようにできる。
【００６５】
これにより、空間利用の効率がさらに向上し、例えば編集空間４の手前が通路であった場合、前記編集空間４との区分けがないために心理的に広く感じさせることができる。
【００６６】
従来の写真シール自動販売機では、利用者は撮像のポーズを取るときを他人に見られたくないという心理があることから、撮像空間（編集空間を含む）をカーテン８で囲繞しているが、編集している様子を見られることについてはそのような心理がないため、編集空間４を囲繞する必要性は乏しく、省略しても差し支えない。
【００６７】
以上のことから、図１０の斜視図に示す実施形態のように、写真シール自動販売機１を壁Ｗに密着させて設置する場合は、筐体２が壁から遠くなるようにして設置すると最も効率的に空間を利用することができる。
【００６８】
筐体２の背面側に該当する編集空間４は、開放された空間にして通路を兼ねることができ、また楽しそうに利用者が編集している様子が他の利用者の利用意欲を刺激して、それ自体が写真シール自動販売機１の宣伝となって売上向上を見込むことができる。
【００６９】
またこのように編集空間４を開放した場合は、従来はカーテン８で囲繞された写真シール自動販売機１と、それを利用するため並んで待っている利用者がいただけの閉鎖的な雰囲気の施設内が、利用者が楽しく編集している開放的で健全な雰囲気に一新され、施設のイメージが明るく改善される。
【００７０】
以上に説明した図８の（Ｉ）、図９の（Ｊ），（Ｋ）、及び図１０に示す各実施形態において、他の構成、構造、動作及び効果は図１から図６と共に説明した実施形態と同様であるから、図８から図１０において前図と同一の部分には同一符号を付して、その詳しい説明を省略する。
【００７１】
なお、上述の各実施形態において、背面入力装置１４及び背面ディスプレイ１８ｂ，１８ｃは、２つに限らず１つ又は３つ以上に構成しても良い。これにより、多人数用、少人数用にそれぞれ合わせた構成にすることができる。
【００７２】
また、正面ディスプレイ１８ａは、制御装置１１とは接続せずデジタルカメラ１７に直接接続して、該デジタルカメラ１７からの動画像をそのまま表示するだけの構成にしても良いし、鏡で構成しても良い。これにより、正面ディスプレイ１８ａの制御を簡素化することができる。  
また、蛍光灯照明装置１６は、ストロボ発光するストロボ照明装置、又は白熱球を内蔵する白熱灯照明装置で構成しても良い。
【００７３】
また、図６と共に説明した撮像処理Ａと編集処理Ｂの時間を共に１１５秒としてもよい。このように設定すれば、図６の（Ａ）に示した従来の写真シール自動販売機で利用者の１販売を行う間に、本発明の写真シール自動販売機１で２利用者に販売することができる。
【００７４】
また、編集処理Ｂの編集時間は、次のプレイ開始（すなわち次の利用者の硬貨投入）に対応して可変に設定しても良い。例えば、基本的に無制限に編集処理Ｂを許容しておき、次のプレイが開始された時点から残りの編集時間を１８０秒に制限してカウントダウンすることができる。この場合は、図５で説明したステップｎ９の手前に次プレイ開始か否かの分岐を追加し、次プレイ開始まで待ってから残り時間のカウントダウンを始めればよい。
【００７５】
他にも、例えば前記編集時間は１８０秒に設定して置き、３０秒以内に次のプレイが開始されなければ、その時点の残り時間１５０秒に３０秒を追加して前記編集時間を延長することができる。この場合は、図５で説明したステップｎ１１の手前に３０秒以内に次プレイ開始か否かの分岐を追加し、３０秒以内に次プレイ開始されなければ残り時間に３０秒追加する処理を行ってステップｎ１１に進むようにすればよい。
【００７６】
これらの設定により、利用者は編集時間をより長く得られるようになり、施設が暇なときは利用者にとって長時間編集できるチャンスとなるため、利用者が少ない時間帯の売上増加も見込むことができる。
【００７７】
また、上述の実施形態では、画像を表示する２つの背面ディスプレイ１８ｂ，１８ｃを並設して各背面ディスプレイに対応する１本ずつのタッチペン１４２，１４４を設けたが、図２に仮想線で示すように各背面ディスプレイに複数のタッチペンを設けてもよい。
【００７８】
また、背面ディスプレイ１つに対し、該背面ディスプレイの画面を例えば左右２つに分割して、タッチペンを複数備えて各画面で同時入力することを可能にしてもよい。
【００７９】
このときは、図２に仮想線で示すようにタッチペン１４２，１４４を２つずつ設け、背面ディスプレイ１８ｂ，１８ｃには、図１１に示すように右編集画像Ｒと左編集画像Ｌを並べて表示し、２人の利用者に２つのタッチペン１４２，１４２でそれぞれの編集画像を編集させる。
【００８０】
タッチペン１４２，１４２を左用と右用に分けて設定しておき、ペンツールや編集画像を選択するためのサムネイル画像等は共通に表示して、例えばサムネイル画像をタッチしたのが右用のタッチペン１４２であれば、右編集画像Ｒに表示する編集画像を変更する。
【００８１】
また、それぞれの背面ディスプレイに対応して制御装置をそれぞれ設け、それぞれの背面ディスプレイに表示された複数の画像を格別に編集するように構成しても良いし、各背面ディスプレイには他方の落書き編集が反映されないようにし、印刷時に各落書き編集画像を合成するように構成しても良い。
【００８２】
この発明の構成と、上述の実施形態との対応において、
この発明の写真シール自動販売装置は、実施形態の写真シール自動販売機１に対応し、
以下同様に、
編集手段は、背面入力装置１４に対応し、
撮像手段は、デジタルカメラ１７に対応し、
ディスプレイは、背面ディスプレイ１８ｂ，１８ｃに対応し、
出力手段は、プリンタ１９に対応し、
入力手段は、タッチペン１４２，１４４に対応するも、
この発明は、上述の実施形態の構成のみに限定されるものではなく、多くの実施の形態を得ることができる。
【図面の簡単な説明】
【００８３】
【図１】写真シール自動販売機を示す斜視図。
【図２】写真シール自動販売機を示す背面側斜視図。
【図３】筐体の内部を示す部分拡大図（一部断面図）。
【図４】制御回路を示す回路ブロック図。
【図５】撮像、編集、印刷処理を示す処理フロー図。
【図６】利用者の入れ替わりと処理時間の関係を示す時間説明図。
【図７】写真シールシートを示すイメージ図。
【図８】撮像空間と編集空間の構成例を示す空間説明図。
【図９】撮像空間と編集空間の構成例を示す空間説明図。
【図１０】他の実施形態の写真シール自動販売機を示す背面側斜視図。
【図１１】他の実施形態の背面ディスプレイを示す画面説明図。
【符号の説明】
【００８４】
１…写真シール自動販売機
３…撮像空間
１４…背面入力装置
１６…蛍光灯照明装置
１７…デジタルカメラ
１８ｂ，１８ｃ…背面ディスプレイ
１９…プリンタ
１４２，１４４…タッチペン
【図１】
0003695753.tif 000002
【図２】
0003695753.tif 000003
【図３】
0003695753.tif 000004
【図４】
0003695753.tif 000005
【図５】
0003695753.tif 000006
【図６】
0003695753.tif 000007
【図７】
0003695753.tif 000008
【図８】
0003695753.tif 000009
【図９】
0003695753.tif 000010
【図１０】
0003695753.tif 000011
【図１１】
0003695753.tif 000012